(57)【要約】      （修正有）【課題】  コンテンツデータを容易に収集して書籍として販売できるとともに、この書籍を構成するコンテンツデータを提供した著作登録者にも所定のインセンティブが与えられる仕組みを提供する。【解決手段】  販売される書籍の識別情報と書籍に含まれているコンテンツの識別情報とコンテンツの著作登録者の識別情報とを関連付けて記憶する出版データベース３２と、書籍の売り上げ額を記憶する売上データベース３１と、著作登録者の識別情報と著作登録者のコンテンツを含んだ書籍に売上に応じたインセンティブを記憶する著作データベース３３と、売上データベース３１を参照して書籍に含まれる各著作登録者のコンテンツの割合に応じて、各著作登録者に対するインセンティブを算出し、算出したインセンティブを上記著作データベースに当該著作登録者の識別情報に関連付けて記憶する還元率算出部３７とを有することとした。【選択図】図２
2006113775.tif 000002
【特許請求の範囲】
【請求項１】
それぞれ異なる著作登録者により作成されたコンテンツから構成された書籍の販売に応じて、当該書籍に含まれる各コンテンツの著作登録者へインセンティブを与えるためのシステムであって、
上記販売される書籍の識別情報と、当該書籍に含まれているコンテンツの識別情報と、当該コンテンツの著作登録者の識別情報とを関連付けて記憶する出版データベースと、
書籍の売り上げ額を記憶する売上データベースと、
上記著作登録者の識別情報と、当該著作登録者のコンテンツを含んだ書籍に売り上げに応じたインセンティブを記憶する著作データベースと、
上記売上データベースを参照して書籍の売上額に基づき、上記出版データベースに登録されている著作登録者に対して、当該書籍に含まれる各著作登録者のコンテンツの割合に応じて、各著作登録者に対するインセンティブを算出し、算出したインセンティブを上記著作データベースに当該著作登録者の識別情報に関連付けて記憶する算出処理手段と、
を有することを特徴とするコンテンツ管理システム。
【請求項２】
上記インセンティブは、売り上げに応じた金額であり、
上記著作データベースには、各著作登録者の振込み先口座情報が記憶されており、
上記著作データベースの振込先口座情報に従って、上記インセンティブとしての金額を所定の金融機関システムに対して振込み処理指示を行う振込処理手段を更に有する、
請求項１記載のコンテンツ管理システム。
【請求項３】
上記書籍は複数ページから構成されており、
ページごとに一つのコンテンツ対応している、
請求項１又は２記載のコンテンツ管理システム。
【請求項４】
上記還元率は、予め１コンテンツあたりのインセンティブが決められており、
上記算出手段は、上記還元率に、当該書籍に含まれている著作登録者のコンテンツの個数との積によりインセンティブを算出する、
請求項１〜３のいずれかの項に記載のコンテンツ管理システム。
【請求項５】
ユーザ端末と通信可能に構成されたシステムであって、
発刊する書籍のタイトルと、当該タイトルに関連付けて当該書籍を構成し、著作登録者が異なるコンテンツデータを記憶する出版データベースと、
上記出版データベースに登録されたコンテンツデータの識別情報と、当該コンテンツデータの著作登録者の識別情報とを関連付けて記憶するための著作データベースと、
上記ユーザ端末から上記タイトルに関連付けて、コンテンツデータの登録を受付け、上記出版データベース及び著作データベースに記憶する登録手段と、
上記出版データベースに記憶された書籍のタイトル、及びコンテンツデータを上記ユーザ端末へ提供する提供手段と、
を有することを特徴とするコンテンツ管理システム。
【請求項６】
上記登録手段は、さらに上記ユーザ端末から、ユーザが出版を希望する書籍のタイトルの登録を受付けて、上記出版データベースに記憶し、
上記提供手段は、登録されたタイトルを複数のユーザの端末に提供して、当該タイトルに関するコンテンツの登録を受付る、
請求項５記載のコンテンツ管理システム。
【請求項７】
上記出版データベースには、書籍ごとに予め総コンテンツ数が決定されており、
上記登録手段は、上記出版データベースに定められているコンテンツ数になるまでユーザからコンテンツデータの登録を受付ける、
請求項５又は６記載のコンテンツ管理システム。
【請求項８】
それぞれ異なる著作登録者により作成されたコンテンツから構成された書籍の販売に応じて、当該書籍に含まれる各コンテンツの著作登録者へインセンティブを与えるための方法であって、上記販売される書籍の識別情報と、当該書籍に含まれているコンテンツの識別情報と、当該コンテンツの著作登録者の識別情報とを関連付けて記憶する出版データベースと、書籍の売り上げ額を記憶する売上データベースと、上記著作登録者の識別情報と、当該著作登録者のコンテンツを含んだ書籍に売り上げに応じたインセンティブを記憶する著作データベースとを有するコンピュータにより行われる方法であって、
上記コンピュータが、
上記売上データベースを参照して書籍の売上額に基づき、上記出版データベースに登録されている著作登録者に対して、当該書籍に含まれる各著作登録者のコンテンツの割合に応じて、各著作登録者に対するインセンティブを算出する処理と、
上記算出したインセンティブを上記著作データベースに当該著作登録者の識別情報に関連付けて記憶する処理と、
を行うことを特徴とするコンテンツ管理方法。
【請求項９】
それぞれ異なる著作登録者により作成されたコンテンツから構成された書籍の販売に応じて、当該書籍に含まれる各コンテンツの著作登録者へインセンティブを与えるための方法であって、上記販売される書籍の識別情報と、当該書籍に含まれているコンテンツの識別情報と、当該コンテンツの著作登録者の識別情報とを関連付けて記憶する出版データベースと、書籍の売り上げ額を記憶する売上データベースと、上記著作登録者の識別情報と、当該著作登録者のコンテンツを含んだ書籍に売り上げに応じたインセンティブを記憶する著作データベースとを有するコンピュータをコンテンツ管理コンピュータとして機能させるコンピュータプログラムであって、
上記コンピュータに対して、
上記売上データベースを参照して書籍の売上額に基づき、上記出版データベースに登録されている著作登録者に対して、当該書籍に含まれる各著作登録者のコンテンツの割合に応じて、各著作登録者に対するインセンティブを算出する処理と、
上記算出したインセンティブを上記著作データベースに当該著作登録者の識別情報に関連付けて記憶する処理と、
を実行させるコンピュータプログラム。
【発明の詳細な説明】
【技術分野】
【０００１】
本発明は、書籍を構成するコンテンツデータをネットワークなどの通信を介して収集し、収集したコンテンツデータに基づいて書籍を作成すると共に、この書籍を販売した際にコンテンツを提供した提供者に対して所定のインセンティブを返すための技術に関する。
【背景技術】
【０００２】
インターネットのホームページなどでは、個人で作成した画像、文章などのコンテンツデータを公開することが行われている。
また、あるテーマ、例えば、動物などに関するデジタルカメラの写真画像ファイル（ＪＰＥＧファイルなど）などを集めたＷｅｂサイトなどもある。これらのサイトでは、個人が任意にＷｅｂサイトにアクセスしこれを登録しており、これを見る側もそのＷｅｂサイトにアクセスすることで提供されている画像を見たり、取得することができる。
【０００３】
Ｗｅｂ上だけでなく自費出版をしたいというユーザのために、書籍類の印刷発行を主たる業務とする事業体と、書籍類を自費で出版したいユーザとが、通信回線を介して接続された環境で、事業体にユーザが自費出版したい書籍の内容、構成を基に、自己の所有する情報端末を操作し、対話形式で選択処理操作を行うことによって、ユーザの希望する自費出版書籍の体裁並びに費用見積り概算額が短時間で演算され、その結果をユーザの情報端末に表示できるようにした自費出版システムが提案されている（例えば、先行文献１）。
【０００４】
また、百貨辞典や図鑑などのように複数の著者により構成される書籍を制作編集したり、またその一部に改変が生じた場合に、その改変部分をユーザへ提供するためのシステムが提案されている。このシステムでは、ここの著者端末で所望のコンテンツの創作が行われ、創作されたコンテンツをネットワークを介して出版サーバに送信して、コンテンツデータベースに格納することで、コンテンツの作成や編集作業を協調して遂行することができるとしている（例えば、先行文献２）。
【０００５】
【特許文献１】特開２００２−１５１８０
【特許文献２】特開平１１−６６１８０
【発明の開示】
【発明が解決しようとする課題】
【０００６】
しかし、従来のように従来のようにＷｅｂサイトや、Ｗｅｂ掲示板などに複数のユーザがコンテンツを提供することはできたが、これら提供されたコンテンツはＷｅｂサイトで見ることができても、実際に出版された書籍とすることできなかった。そのため、せっかく同じ趣味・興味を持ったユーザが同じ掲示板サイトにアクセスしていても、それぞれ個別にコンテンツを提供しているのみで、これを書籍などの形に残し、販売することはできなかった。
【０００７】
一方、自分であるテーマに沿ったコンテンツデータを集めて、自費出版することもできるが、自分一人で書籍を作るだけのコンテンツを集めることはかなりの労力が必要となるし、また自費出版のコストが高くなり、なかなか個人で自費出版はできなった。
【０００８】
また、いろいろな人からコンテンツデータが提供されている場合、勝手にコンテンツデータを使って書籍を制作して出版すると、それぞれの著作権等の問題が発生するし、またその書籍が販売されときのインセンティブをコンテンツ提供者に支払うことは、提供者の数が増えれば増えるほど煩雑で面倒なものとなってしまうという問題があった。
【０００９】
本発明は、上述の課題を解決するためになされたものであって、コンテンツデータを容易に収集して書籍として販売できるとともに、この書籍を構成するコンテンツデータを提供した著作登録者にも所定のインセンティブが与えられる仕組みを提供することを目的とする。
【課題を解決するための手段】
【００１０】
上記目的を達成するため、本発明の第１の観点にかかるコンテンツ管理システムは、それぞれ異なる著作登録者により作成されたコンテンツから構成された書籍の販売に応じて、当該書籍に含まれる各コンテンツの著作登録者へインセンティブを与えるためのシステムであって、上記販売される書籍の識別情報と、当該書籍に含まれているコンテンツの識別情報と、当該コンテンツの著作登録者の識別情報とを関連付けて記憶する出版データベースと、書籍の売り上げ額を記憶する売上データベースと、上記著作登録者の識別情報と、当該著作登録者のコンテンツを含んだ書籍に売り上げに応じたインセンティブを記憶する著作データベースと、上記売上データベースを参照して書籍の売上額に基づき、上記出版データベースに登録されている著作登録者に対して、当該書籍に含まれる各著作登録者のコンテンツの割合に応じて、各著作登録者に対するインセンティブを算出し、算出したインセンティブを上記著作データベースに当該著作登録者の識別情報に関連付けて記憶する算出処理手段とを有することを特徴とする。
【００１１】
上記インセンティブは、売り上げに応じた金額であり、上記著作データベースには、各著作登録者の振込み先口座情報が記憶されており、上記著作データベースの振込先口座情報に従って、上記インセンティブとしての金額を所定の金融機関システムに対して振込み処理指示を行う振込処理手段を更に有してもよい。
【００１２】
上記書籍は複数ページから構成されており、ページごとに一つのコンテンツ対応していてもよい。
また、上記還元率は、予め１コンテンツあたりのインセンティブが決められており、
上記算出手段は、上記還元率に、当該書籍に含まれている著作登録者のコンテンツの個数との積によりインセンティブを算出するようにしてもよい。
【００１３】
本発明の別の観点にかかるコンテンツ管理システムは、ユーザ端末と通信可能に構成されたシステムであって、発刊する書籍のタイトルと、当該タイトルに関連付けて当該書籍を構成し、著作登録者が異なるコンテンツデータを記憶する出版データベースと、上記出版データベースに登録されたコンテンツデータの識別情報と、当該コンテンツデータの著作登録者の識別情報とを関連付けて記憶するための著作データベースと、上記ユーザ端末から上記タイトルに関連付けて、コンテンツデータの登録を受付け、上記出版データベース及び著作データベースに記憶する登録手段と、上記出版データベースに記憶された書籍のタイトル、及びコンテンツデータを上記ユーザ端末へ提供する提供手段とを有することを特徴とする。
【００１４】
上記登録手段は、さらに上記ユーザ端末から、ユーザが出版を希望する書籍のタイトルの登録を受付けて、上記出版データベースに記憶し、上記提供手段は、登録されたタイトルを複数のユーザの端末に提供して、当該タイトルに関するコンテンツの登録を受付るようにしてもよい。
【００１５】
上記出版データベースには、書籍ごとに予め総コンテンツ数が決定されており、
上記登録手段は、上記出版データベースに定められているコンテンツ数になるまでユーザからコンテンツデータの登録を受付けるようにしてもよい。
【００１６】
本発明の第１の観点にかかるコンテンツ管理方法は、それぞれ異なる著作登録者により作成されたコンテンツから構成された書籍の販売に応じて、当該書籍に含まれる各コンテンツの著作登録者へインセンティブを与えるための方法であって、上記販売される書籍の識別情報と、当該書籍に含まれているコンテンツの識別情報と、当該コンテンツの著作登録者の識別情報とを関連付けて記憶する出版データベースと、書籍の売り上げ額を記憶する売上データベースと、上記著作登録者の識別情報と、当該著作登録者のコンテンツを含んだ書籍に売り上げに応じたインセンティブを記憶する著作データベースとを有するコンピュータにより行われる方法であって、上記コンピュータが、上記売上データベースを参照して書籍の売上額に基づき、上記出版データベースに登録されている著作登録者に対して、当該書籍に含まれる各著作登録者のコンテンツの割合に応じて、各著作登録者に対するインセンティブを算出する処理と、上記算出したインセンティブを上記著作データベースに当該著作登録者の識別情報に関連付けて記憶する処理とを行うことを特徴とする。
【００１７】
本発明の第１の観点にかかるコンピュータプログラムは、それぞれ異なる著作登録者により作成されたコンテンツから構成された書籍の販売に応じて、当該書籍に含まれる各コンテンツの著作登録者へインセンティブを与えるための方法であって、上記販売される書籍の識別情報と、当該書籍に含まれているコンテンツの識別情報と、当該コンテンツの著作登録者の識別情報とを関連付けて記憶する出版データベースと、書籍の売り上げ額を記憶する売上データベースと、上記著作登録者の識別情報と、当該著作登録者のコンテンツを含んだ書籍に売り上げに応じたインセンティブを記憶する著作データベースとを有するコンピュータをコンテンツ管理コンピュータとして機能させるコンピュータプログラムであって、上記コンピュータに対して、上記売上データベースを参照して書籍の売上額に基づき、上記出版データベースに登録されている著作登録者に対して、当該書籍に含まれる各著作登録者のコンテンツの割合に応じて、各著作登録者に対するインセンティブを算出する処理と、上記算出したインセンティブを上記著作データベースに当該著作登録者の識別情報に関連付けて記憶する処理とを実行させることを特徴とする。
【発明の効果】
【００１８】
本発明によれば、コンテンツデータを簡単に収集して書籍として販売できる。
また、書籍が販売されたときは、この書籍を構成するコンテンツデータを提供した著作登録者に所定のインセンティブを与えることができるし、その際のインセンティブの算出を効率よく処理することができる。
【発明を実施するための最良の形態】
【００１９】
以下、本発明の一実施の形態を図面を参照して説明する。
図１は、本発明にかかるコンテンツデータ管理システム、及びコンピュータプログラムを適用したシステムの一例を示すシステム構成図である。図１に示したシステムは、インターネットに接続可能に構成されたＷｅｂサーバ１、販売システム２、著作管理システム３、金融機関システム４、ユーザ端末５から構成されている。
【００２０】
Ｗｅｂサーバ１は、インターネットを介してＷｅｂページを提供するコンピュータである。このＷｅｂサーバ１は、 ＨＴＭＬファイルからなるＷｅｂページデータを保持してユーザ端末５へ提供することができる。
このＷｅｂページとしては、例えば、ユーザ登録画面、ユーザのＩＤ及びパスワードなどの入力を要求する認証画面、ユーザから提供された書籍のタイトルや書籍を構成するコンテンツデータを提供する画面、ユーザが登録したコンテンツデータに対する還元率データ表示画面などがある。そして、これら画面から登録されたデータは、販売システム２又は著作管理システム３へ送信されるようになっている。
また、このＷｅｂサーバ１は、書籍の販売情報を提供する書籍販売サイトを提供する。
【００２１】
販売システム２は、書籍の販売情報を管理するコンピュータシステムである。
この販売システム２が販売する書籍は、ユーザが登録したコンテンツデータから構成される書籍である。販売システム２は、ユーザ端末２から書籍購入要求を受け付け、クレジットカードなどの決済手段を利用して書籍購入代金の決済処理を行う。
また、販売システム２は、ユーザから書籍の発注を受けることにより、図示しない書籍配送者に通知して発注された書籍をユーザに対して配送するよう指示する。
【００２２】
金融機関システム４は、銀行などの金融機関のシステムである。この金融機関システム４は、ユーザが開設した金融機関口座を管理し、この口座に基づいて振込などの金融取引処理を行うことができるようになっている。
【００２３】
ユーザ端末５は、ユーザが使用するコンピュータである。このユーザ端末５は、インターネット接続可能な端末であればよく、例えば、いわゆるパソコン、ＰＤＡ(Personal Digital Assistance）端末、携帯電話端末などで構成することができる。
このユーザ端末５は、インターネットに接続するためのブラウザを保持し、これを実行することによりＷｅｂサーバ１にアクセスし、Ｗｅｂサーバ１との間でデータの送受信ができるようになっている。、そして、ユーザ端末５は、ディスプレイなどの出力表示手段、キーボード、ポインティングデバイスなどの情報入力手段を有しており、受信した情報をディスプレイに表示したり、またユーザが入力した情報をＷｅｂサーバ１等へ送信することができる。
【００２４】
著作管理システム３は、販売された書籍に関して、著作登録者に対して支払う還元金額を管理するコンピュータシステムでる。この著作管理システム３は、１台又は複数のコンピュータの協動によって、図２に示した機能ブロックを構成することができる。これら機能ブロックは、実際にはコンピュータのＣＰＵ(Ｃｅｎｔｒａｌ  Ｐｒｏｃｅｓｓｉｎｇ  Ｕｎｉｔ)と、ＣＰＵが実行するコンピュータプログラム、コンピュータプログラムや他のデータを記憶することができるＲＡＭ（Ｒａｎｄｏｍ  Ａｃｃｅｓｓ  Ｍｅｍｏｒｙ）などの内部メモリ、ハードディスクドライブなどの外部記憶装置により実現することができる。
図２に示した機能ブロックは、売上データベース（ＤＢ）３１、出版物データベース（ＤＢ）３２、著作データベース（ＤＢ）３３、還元率記憶部３４、送受信処理部３５、検索処理部３６、還元率算出部３７、登録更新処理部３８、振込処理部３９から構成されている。
【００２５】
売上データベース３１は、書籍の売上データをデータベース化したものである。この売上データベース３１には、図３に示すように出版物である書籍を識別する出版物ＩＤ、書籍のタイトル、書籍の総ページ数、単価、売上部数、売上額が記憶できるようになっている。
出版物ＩＤは出版物を販売する際に付与されるコードであって、ＩＳＢＮ（日本図書）コードのように所定の桁数の数字、文字から構成されるでもよい。
タイトルは、書籍のタイトルであって、これはＷｅｂページ上で書籍を構成するコンテンツデータを募集する際に付けられたタイトルがそのまま書籍のタイトルとなる。
総ページ数は書籍の総ページ数であり、単価は書籍１冊あたりの価格であり、これらは予め発行する際に決定されている。
また、売上部数、売上金額は、販売システム２から通知された書籍の売上部数、売上金額のデータであり、本例では１ヶ月ごとの売上部数、売上金額である。なお、本例では１ヶ月ごととしたが、この期間は任意である。
【００２６】
出版物データベース３２は、販売される書籍の情報をデータベース化したものである。
出版物データベース３２には、図４に示すように出版物ＩＤ、タイトル、総ページ数、著作登録者ＩＤ、担当ページ、単価が記憶できるようになっている。
著作登録者ＩＤは、書籍を構成するコンテンツを登録したユーザを識別するための識別情報である。本例では、会員制のシステムとなっているため、この著作登録者ＩＤは会員ＩＤ（ユーザＩＤ）である。
また、本例では、１コンテンツにつき１ページを構成しているため、このページごとに当該ページのコンテンツデータを提供した著作登録者ＩＤが関連付けられるようになってる。
ここで、著作登録者とは、コンテンツデータを登録した人であって、著作権者であってもよいし、著作権者以外の者であってもよい。
担当ページは、著作登録者が登録したコンテンツデータが掲載されているページ番号であり、例えば、書籍のページの中で、３０ページ、３１ページを登録した場合には、当該ユーザの著作登録者ＩＤ（ユーザＩＤ）に関連付けて「３０」、「３１」が担当ページとして記憶される。
【００２７】
著作データベース（ＤＢ）３３は、著作登録者へのインセンティブとしての還元額に関するデータをデータベース化したものである。
この著作データベース３３には、図４に示すように出版物ＩＤ、タイトル、総ページ数、著作登録者ＩＤ、担当ページ数、単価、売上部数、売上額、還元額、振込情報、支払フラグが記憶できるようになっている。
担当ページ数とは、当該書籍の中で著作登録者が登録したコンテンツが掲載されているページ数を表している。
還元額は、著作登録者へインセンティブとして支払う金額を表している。この還元額は、当該著作登録者のコンテンツを含んだ書籍に売上と、当該著作登録者の担当ページ数の割合に応じて算出される。
振込情報は、著作登録者に対して還元額を支払うための金融機関の口座情報であり、その金融機関及び支店名、口座種別、口座番号、口座名義などの情報が含まれる。
また、支払フラグは、還元額が支払われたか否かをあらわすものであり、支払われた場合にはその支払日（振込日）のデータが記憶できるようになっている。
【００２８】
還元率記憶部３１は、還元額を算出する際の基準となる割合（還元率）を記憶する記憶部である。この還元率は、１冊の書籍に対する還元率であって、例えば、還元率１０％であれば、単価１０００円の書籍に対する還元額は１００円であり、これを当該書籍の担当したページ数の割合に応じて各著作登録者に対して分配することとなる。
この還元率は、予め著作管理システム３の管理者がユーザとの間の取り決めで定めておくことができる。
【００２９】
送受信処理部３５は、販売システム２、Ｗｅｂサーバ１等とインターネットを介して通信を行う。この送受信処理部３５は、ＨＴＴＰ、ＴＣＰ／ＩＰなどの所定のプロトコルに基づいてデータの送受信処理を行うことができる。
【００３０】
検索処理部３６は、所定の期間ごとに売上データベース３１を参照して、その間の書籍別の売上部数、売上額を検索して集計する処理を行う。なお、この検索処理を行うタイミングは、例えば、１ヵ月ごとなど予め決められタイミングで行えばよい。
【００３１】
還元率算出部３７は、書籍の売上額に基づき、当該書籍に含まれる各著作登録者のコンテンツの割合に応じた還元額を算出する処理を行う。
この処理は、例えば、還元率算出部３７が、まず以下の式に従い各書籍ごとの総還元額を計算する。
総還元額＝売上額×還元率
その後、各著作登録者への還元額以下の式に従い計算する。
還元額＝総還元額×（当該著作登録者の担当ページ数／書籍の総ページ数）
【００３２】
登録更新処理部３８は、著作者データベース３３に記憶されている還元額に、還元率算出部３７で新たに算出された還元額を加算して、著作者データベース３３のデータを更新する処理を行う。
【００３３】
振込処理部３９は、インセンティブとしての著作還元額を、著作データベース３３の振込先口座情報に従って、所定の金融機関システム４に対して振込み処理指示を行う処理を行う。
この処理は、毎月末など所定のタイミングで振込処理部３９が実行すればよい。
そして、振込処理が完了したときには、振込処理部３９は著作者データベース３３の支払フラグに振込日を記憶して、支払が完了したことを記憶する。
【００３４】
次に、本発明にかかる方法の一例について説明する。
まず、全体の流れの概略について図６を参照して説明する。図６において、まずコンテンツ登録用のＷｅｂサイトには、募集を行なう書籍のタイトル（例えば、「鉄道模型の本」、「我が家のペット自慢」など）、総ページ数、単価が予め登録されているものとする。
なお、これらのタイトル、総ページ数、単価などは、ユーザ自信が登録するようにしてもよい。また、単価、ページ数は既定とし、タイトルだけユーザが登録できるようにしてもよい。
【００３５】
この状態で、各タイトルに興味があったり、それに関連するコンテンツを有しているユーザＡ〜Ｄがそれぞれ保持している画像などのコンテンツを登録Ｗｅｂサイトを通じて登録する。
図示の例では、ユーザＡが「鉄道模型の本」について１５ページ、「我が家のペット自慢」について２０ページ、「ザ・ガーデニング」について１５ページを投稿している。そして、各書籍は複数のユーザにより投稿できるため、ユーザＢが「我が家のペット自慢」、「ザ・ガーデニング」について同様に投稿している。
【００３６】
そして、この投稿が総ページ数１００ページに到達した時点で書籍が販売開始となり、販売用のＷｅｂサイト等を通じて広く一般に書籍が販売されることとなる。
そして、その書籍の売上部数、売上額が販売システム２に集計され、所定のタイミングで集計された売上部数、売上額のデータが著作管理システム３へ送信される。
【００３７】
著作管理システム３では、各書籍の売上に対する各著作登録者（ユーザＡ〜Ｄ）の還元額を算定し、各ユーザ毎に支払う還元額（振込額）を算出する。
そして、著作管理システム３からの指示により金融機関システム４が著作登録者（ユーザＡ〜Ｄ）の指定口座へ著作還元額の振込処理を行う。これにより、各書籍の売上及びユーザが担当したページ数の割合に応じて、各ユーザに還元額が支払われることになる。
【００３８】
次に、図７を参照して、上述のシステム全体の処理について説明する。
なお、図７の例では、ユーザがコンテンツとして画像を登録する場合の例であり、図６の例同様、予め募集する書籍のタイトル、ページ総数、書籍の単価が決められているものとする。
図７において、著作登録者であるユーザが、ユーザ端末５を利用してコンテンツ登録Ｗｅｂサイトにアクセスし、所望の書籍タイトルに関連付けて、登録する画像ファイルをＷｅｂサーバ１へ送信して登録要求を行う。
【００３９】
Ｗｅｂサーバ１は、画像の登録要求があると、登録要求された画像データを販売管理システム２及び著作管理システム３に送信する（Ｓ２）。これにより送信された画像データが出版物データベース３１に登録されることとなる。
そして、登録された画像のページ数が、定められている総ページ数に達した時点で、著作管理システム３が販売可能な書籍として販売管理システム２に通知し、これにより販売管理システム２を通じて書籍販売のＷｅｂサイトなどに書籍が登録されることなる（Ｓ３）。
【００４０】
登録された書籍を購入する場合、購入ユーザがユーザ端末５を使用してＷｅｂサーバ１の書籍販売サイトにアクセスする（Ｓ４）。
そして、購入ユーザのユーザ端末５からＷｅｂサーバ１に対して、所望の書籍の購入要求を行うと（Ｓ５）、この購入要求がＷｅｂサーバ１から販売管理システム２に送信される（Ｓ６）。これにより、販売システム２から購入ユーザに対して書籍が発送される。この書籍の配送は宅配又は郵便などで行うことができる。
なお、販売管理システム２は、インターネット上で販売された売上額、売上部数だけでなく、一般の所書店などで販売された売上額、売上部数のデータもこれら書店の売上管理システムを通じて収集することができる。
【００４１】
また、月末など所定のタイミングで販売管理システム２が著作管理システム３に対して売上情報を送信する（Ｓ７）。
これにより著作管理システム３は、各著作登録者としてのユーザに対する還元額を算出して、金融機関システム４に対してこの還元額の振込指示を行う（Ｓ８）。
振込が完了すると、著作管理システム３は、振込対象となった著作登録者であるユーザからの要求に応じて、振込金額などの情報を所定のＷｅｂサイトを通じて提供する（Ｓ９）。
なお、この処理は、著作管理システム３は、振込対象となった著作登録者であるユーザに対して電子メールなどで振込通知を行うようにしてもよい。
【００４２】
次に、コンテンツとしての画像データを登録する際の著作管理システム３の処理の流れについて図８を参照して説明する。
なお、本例では、ユーザは全て予め会員登録されたユーザであり、ユーザに対してはユーザＩＤ及びパスワードが割り当てられているもとする。
図８において、まず、著作登録者のユーザ端末５からユーザＩＤ及びパスワードが入力されて画像登録のＷｅｂサイトにアクセスされると、登録更新処理部３８が図示しない会員データベースを参照して、入力されたユーザＩＤ及びパスワードの認証を行う（Ｓ１０１）。
認証の結果、正しくない場合には再度認証要求を行うなどの処理を行う。
なお、この会員データベースは、会員ＩＤ、パスワード、住所・氏名などの個人情報をデータベース化したものであり、Ｗｅｂサーバ１又は著作管理システム３が保持していればよい。
【００４３】
また、認証の結果正規な会員であると判別されると、登録更新処理部３８はユーザ端末５に対して、出版データベース３２を参照して、現在登録可能な書籍のタイトル一覧等のＷｅｂページを提供して、所望の書籍に対する画像ファイルの登録を受け付ける（Ｓ１０２）。
画像ファイルを受け付けると、登録更新処理部３８は、登録された画像ファイルのページ数と既に登録されているページとの積算枚数が、出版データベース３２に設定されている当該タイトルの総ページ数を超えていないか否か判別する（Ｓ１０３）。
超えている場合には、ユーザ端末５に対してページ数を減らすようメッセージをだすなどしてＳ１０２の処理に戻る。
【００４４】
一方、総ページ数を超えていない場合には、登録更新処理部３８は登録された画像ファイルを出版物データベース３２に記憶して（Ｓ１０４）、登録完了の通知をＷｅｂページ上でユーザに対して行う（Ｓ１０５）。
【００４５】
また、登録更新処理部３８は、登録されたタイトルについて、設定されている総ページ数に達したか否か判別する（Ｓ１０６）。
判別の結果、総ページ数に達した場合には、登録更新処理部３８は、送受信処理部３５を介して販売システム２に対して当該タイトルに対して登録された画像データを発売する書籍データとして送信して（Ｓ１０７）、処理を終了する。
また、判別の結果、未だ総ページ数に達していない場合には登録処理を終了する。
【００４６】
次に、著作管理システム３が著作還元額を算定する場合の処理について図９を参照して説明する。
図９において、まず送受信処理部３５を介して販売システム２から所定期間内の書籍の売上額を受信して、売上データベース３１に記憶する（Ｓ２０１）。
次に、検索処理部３６が、出版データベース３２に登録されている出版物ＩＤに基づいて、売上データベース３１を参照して、各書籍の当該期間内の売上額を検索して（Ｓ２０２）、書籍ごとに当月の売上額を集計する（Ｓ２０３）。
【００４７】
また、還元率算出部３７が、書籍ごとの当月の総還元額を算出してメモリに記憶する（Ｓ２０４）。
ここで
総還元額は、総還元額＝売上額×還元率で計算することができる。
【００４８】
総還元額が算出されると、還元率算出部３７は、出版物データベース３２を参照して、各出版物についての担当ページ数、総ページ数を取得し（Ｓ２０５）、各著作登録者としてのユーザに対する還元額を算出する（Ｓ２０６）
ここで還元額は、還元額＝総還元額×（当該著作登録者の担当ページ数／書籍の総ページ数）で算出することができる。
【００４９】
還元額が算出されると、登録更新処理部３８が著作者データベース３３に還元額を加算して更新する（Ｓ２０７）。
そして、所定のタイミングで振込処理部３９が、著作データベース３３に登録されている振込先情報に基づいて、各ユーザに対して還元額の振込指示を行い、著作データベース３３の振込フラグに振込処理日を記憶して（Ｓ２０８）、処理を終了する。
【００５０】
なお、ユーザからの照会要求に応じて、送受信処理部３５は、著作データベース３５を参照して、図１０に示すように還元額を提示する。
図１０の例では、当該ユーザが投稿した書籍のタイトルと、その総ページ数、当該ユーザの担当ページ数、単価、売上部数、売上額、それぞれの書籍についての還元額と、合計額が表示される。
これにより、ユーザは自分に振込まれる還元額の総額を把握することができる。
【００５１】
このように、上述の実施形態によれば、１つの書籍を出版する場合に、不特定かつ複数の著作登録者であるユーザが、互いにコンテンツを持ち寄ることで簡単に書籍を発行することができる。また、コンテンツの登録もＷｅｂ上で行うことから、同じタイトルに興味を持っているユーザ同士がアクセスすることで、同じジャンルのコンテンツを集めて出版することができる。従って、従来の自費出版に比べてだれでも出版に加わることができ、自分が加わった書籍を発行することができる。
【００５２】
また、この書籍が売れた場合も、各コンテンツを提供した著作管理システム３で著作登録者が誰であるかが管理されていることから、各著作登録者にその登録したページ数などの割合に応じて還元額を支払うことができる。
また、その際の計算も、出版物データベース３２に、誰がどのコンテンツを提供したのかが登録されているため、適切に還元額を計算することができる。
また、ページ１枚に１コンテンツとしてことから、還元額の計算が明確かつ簡単となる。
【００５３】
また、複数の書籍に対してコンテンツを登録した場合でも、著作登録者はこれらをまとめて受け取ることができるため、窓口が一本化できる。
【００５４】
上述の例では、書籍の総ページ数に対する担当ページ数の割合に応じて還元額を算出する例について説明したが、本発明はこれに限らず、著作登録者への著作還元額の計算は、以下の式により計算してもよい。
還元額＝１ページあたりの還元額×当該著作登録者の担当ページ数
これにより、例えば、１枚あたりの還元額単価０．１円と定めていれば、１０ページ担当した人は１円の著作還元料をもらえることとなる。これにより、どの書籍でも還元額単価が同じとなるため極めて計算が容易となる。
【００５５】
上述の例では、コンテンツとして画像を登録する場合の例について説明したが、コンテンツデータとしては、テキストデータ、音データなどでもよい。
【００５６】
また、上述の例では、１ページ１つのコンテンツを登録する場合について説明したが、これに限らず１ページに複数のコンテンツを登録するようにしてもよい。
例えば、１ページにユーザＡから登録された画像と、ユーザＢから提供された画像とを掲載するようにしてもよい。
【００５７】
また、著作登録者へのインセンティブは、売上に応じた金額で計算しなくとも、所定物やサービスと交換できるポイントを与えるようにしてもよい。
【００５８】
上述の著作管理システム３の処理をコンピュータに対して実行させるコンピュータプログラムは、これをＣＤ−ＲＯＭなどの媒体に固定して、又はネットワークなどを通じて配信することで流通させることができる。
【図面の簡単な説明】
【００５９】
【図１】本発明にかかるコンテンツ管理システムの一例を示したシステム概略図。
【図２】著作管理システムの一例を示した機能ブロック図。
【図３】売上データベースに記憶されるデータの一例を示した図。
【図４】出版物データベースに記憶されるデータの一例を示した図。
【図５】著作者データベースに記憶されるデータの一例を示した図。
【図６】全体の業務流れを説明するための図。
【図７】システム全体の処理の流れを示した図。
【図８】コンテンツ登録処理の際の著作管理システムの処理を示した図。
【図９】還元額を算定して支払う際の著作管理システムの処理を示した図。
【符号の説明】
【００６０】
１        Ｗｅｂサーバ
２        販売システム
３        著作管理システム
４        金融機関システム
５        ユーザ端末
３１      売上データベース
３２      出版物データベース
３３      著作データベース
３４      還元率記憶部
３５      送受信処理部
３６      検索処理部
３７      還元率算出部
３８      登録更新処理部
３９      振込処理部
【図１】
2006113775.tif 000003
【図２】
2006113775.tif 000004
【図３】
2006113775.tif 000005
【図４】
2006113775.tif 000006
【図５】
2006113775.tif 000007
【図６】
2006113775.tif 000008
【図７】
2006113775.tif 000009
【図８】
2006113775.tif 000010
【図９】
2006113775.tif 000011